(57)【要約】  【課題】  空気調和機の据え付け場所の関係で、吸込みグリルを通して内部が見えてしまうと言う問題を解決し特に床置きに縦格子の吸込みグリルを使用する場合にも適用可能な構造とすることを目的とする。  【解決手段】  吸込みグリルのみ分解可能な構造を持ち該吸込みグリルには開閉可能なヒンジ機構を複数個所持たせるよう配したことにより吸込みグリルを意匠面を表のままで１８０度つまり上下反転した時にも同じように開閉が出来るようにすることにより解決することが出来る。【選択図】  図１
2005106417.tif 000002
【特許請求の範囲】
【請求項１】
空気吸込み口と吸込み口後方にある熱交換器との間に着脱可能なフィルターを装着した化粧カバーで前面を覆った一体型または分離型の空気調和機に於いて、化粧カバーには複数本の斜めに傾斜させた縦格子を有する吸込み口を形成する吸込みグリルを備えることにより空気調和機を見る角度によりフィルターが見えないよう前方を覆うことが出来ることを特徴とする空気調和機。
【請求項２】
請求項第１項において、吸込みグリルは吸込みグリル部分のみ分離でき、また該吸込みグリルは上下を逆さにした状態即ち意匠面を表のままで１８０度回転した状態でも取り付け方が可能にすることにより、空気調和機を反対方向から見た場合にフィルターが見えないよう、吸込みグリルを１８０度回転させることにより前方を覆うことが出来ることを特徴とする空気調和機。
【請求項３】
請求項第１項、第２項に記載した空気調和機に於いて該吸込みグリル内側の下端側及び上端にヒンジを設けることにより特別な機構を持たずに容易に該吸込みグリルを上下を逆さにした状態即ち意匠面を表のままで１８０度回転できフィルターが見えないよう前方を覆うことが出来ることを特徴とする空気調和機。
【請求項４】
請求項第１項、第２項、第３項に記載した空気調和機に於いて吸込みグリルの寸法を縦横比１対１とし、該吸込みグリルの４つの辺のそれそれにヒンジ部を設けることにより意匠面を表のままで９０度回転した状態でも取り付けが可能にすることにより、空気調和機の設置位置に応じて最適となる向きに吸い込みグリルを取り付けフィルターが見えないよう前方を覆うことが出来ることを特徴とする空気調和機。
【請求項５】
請求項第３項、第４項に記載した空気調和機において該吸込みグリルの取りつけ構造をヒンジ式ではなく磁石のようなもので着脱が可能なようにしたことを特徴とする空気調和機。
【請求項６】
請求項第１項、第２項、第３項、第４項に記載した空気調和機において該吸込みグリルの形状を縦格子のみではなく例えばパネル状のものとし該パネルには着色や彫り込み等でデザインがなされ、該吸込みグリルを回転した状態即ち意匠面を表のままで１８０度または９０度回転した状態でも取り付け方が可能にすることにより、それぞれの状態で見た目の意匠が異ることを特徴とする空気調和機。
【請求項７】
請求項第１項、第２項、第３項、第４項、第５項、第６項において該空気調和機を床置き型としたことを特徴とする空気調和機。
【発明の詳細な説明】
【技術分野】
【０００１】
本発明はファンを有する空気調和機に係り、特に外観を良くする吸込みグリルを持つ空気調和機に関するものである。
【背景技術】
【０００２】
下記の特許文献１に於いて、空気調和機の分離型室内機の吸込みグリルの横格子を上向きに傾斜させる場合、空気調和機を上方から見ることが出来ない場所に据え付けた場合には吸込みグリルの横格子によりフィルターが見えなくなり外観がすっきり美しくなり、意匠効果をもたらすことが出来る。
【０００３】
【特許文献１】特開平８−４２８７２号公報
【発明の開示】
【発明が解決しようとする課題】
【０００４】
しかしながら、この技術によれば吸込みグリルは化粧枠にねじで固定されており、格子を傾斜させることによる意匠効果が得られるのはある一つの角度から空気調和機を見た場合のみとなり据え付け場所が限定されてしまうと言う問題点が生じていた。
【０００５】
また、従来の技術によれば空気調和機の据え付け場所の関係で、吸込みグリルを通して内部が見えてしまう場合については考慮されていなかった。
【０００６】
また、意匠を変えるために格子の方向を変更させること、例えば縦格子にすること等については言及されていない。
【０００７】
そこで本発明はかかる上記の問題点を解決し、また別の意匠部品を使用することなくすなわち金型を起こすことなく低コストで、意匠効果をもたらすことが可能となる空気調和機を供することに有る。
【課題を解決するための手段】
【０００８】
上記問題を解決するために本発明では、
（１）化粧カバーには複数本の斜めに傾斜させた縦格子を有する吸込み口を形成する吸込みグリルを備えることにより空気調和機を見る角度によりフィルターが見えないよう前方を覆うことが出来るようにしたものである。
（２）吸込みグリルはグリル部分のみ分離でき、また該吸込みグリルは上下を逆さにした状態即ち意匠面を表のままで１８０度回転した状態でも取り付け方が可能にすることにより、空気調和機を同じ方向から見ても吸込みグリルを１８０度回転することによりフィルターが見えないよう前方を覆うことが出来るようにしたものである。
（３）吸込みグリルの下端及び上端に着脱可能なヒンジを設けることにより特別な機構を持たずに容易に該吸込みグリルを上下を逆さにした状態即ち意匠面を表のままで１８０度回転できフィルターが見えないよう前方を覆うことが出来るようにしたものである。
（４）吸込みグリルの寸法を縦横比１対１とし、該吸込みグリルの４つの辺のそれそれにヒンジ部を設けることにより意匠面を表のままで９０度回転した状態でも取り付け方が可能にすることにより、該吸込みグリルの取りつけ方によりどの方向から見ても該フィルターが見えないよう前方を覆うことが出来るようにしたものである。
（５）吸込みグリルの取りつけ構造をヒンジ式ではなく磁石のようなもので着脱が可能なようにしたようにしたものである。
（６）吸込みグリルの形状を縦格子のみではなく例えばパネル状のものとし該パネルには着色や彫り込み等でデザインがなされ、該吸込みグリルを回転した状態即ち意匠面を表のままで１８０度または９０度回転した状態でも取り付け方が可能にすることにより、それぞれの状態で見た目の意匠が異るようにしたものである。
【発明の効果】
【０００９】
本発明によれば吸込みグリルを１８０度回転させることにより据付場所が限定せれることなく、外観がすっきり美しく見える意匠効果をもたらすことが出来る。
【００１０】
また、同じ吸込みグリルながら取りつける方向を逆にすることにより２つの異なった見え方をするように出来るため、新たな金型を起こす必要がなくコスト的に有利である。
【発明を実施するための最良の形態】
【００１１】
以下、本発明の一実施例を図１〜図７に基づき説明する。
【００１２】
本発明の一実施例は上下に２つの吐出口を持ちその間に吸い込みグリルが配されている床置き型の空気調和機である。
【００１３】
図１は一実施例の空気調和機の全体構造図である。本発明の床置型空気調和機はケース1の中に上側吐出用ファン２と下側吐出用ファン２、熱交換器３が図のように配される。ケース１はキャビネット４及び化粧カバー５で構成され、更に化粧カバーには着脱及び１８０度に回転可能な吸い込みグリル６が図のように配されている。吸込みグリル６と熱交換器３の間には着脱可能なフィルター７が配されている。吸込みグリル６の最下端には下側ヒンジ部８ａが一体成形または接着等の方法により固定されている。また化粧カバー５にはやはり一体成形または接着等の方法により固定されたヒンジ受け９が配されヒンジ部８ａとともにヒンジを構成している。また、吸込みグリル６の最上端には上側ヒンジ部８ｂが上下対称な位置に配されている。したがって吸込みグリル６は当初の位置と吸込みグリルを上下を逆さにした状態即ち意匠面を表のままで１８０度つまり上下反転した時にも同じように開閉が出来るように配されている。
【００１４】
吸込みグリル６は、図２の様な横断面形状で形成され、格子１０は複数本並んでおり、格子１０はある角度で斜めに傾斜しているため、矢印方向から内部が見える構造である。
【００１５】
図３は、吸込みグリル６を上下を逆さにした状態即ち意匠面を表のままで１８０度回転させた場合の縦断面図であり当然のことながら格子１０の向き方向が逆になり内部が見える矢印方向も逆方向となる。
【００１６】
このように構成された該空気調和機において図４のように空気調和機を例えば正面右斜めの方向より見ると、格子１０は細いリブのみが見えグリル６の奥に配されたフィルター７が見えてしまい意匠上好ましくない。しかし、図５のように吸込みグリル６を取り外し上下を逆さにした状態即ち意匠面を表のままで１８０度回転させた位置で再度取りつけると空気調和機を同じ正面右斜めの方向より見ると格子１０に設けられた斜めの面によりフィルター７が見えなくなり、すっきり美しい外観となると共に据付場所を限定することなく自由に空気調和機を設置することが出来る。
【００１７】
また、図６の様にグリル６を縦横比を１対１にすることにより、吸込みグリル１１の取付け方で縦格子に、図７の様に９０度回転させることにより横格子にすることが出来、縦格子の吸込みグリル１１及び横格子の吸込みグリル１２を同一の金型で製作できるので金型費用の低減が出来る。また、縦格子の吸込みグリル１１及び横格子の吸込みグリル１２と選択することが出来るため、さらに据付場所の自由度が増し外観を損なうことなく空気調和機を設置することが出来る。
【図面の簡単な説明】
【００１８】
【図１】全体構造図。
【図２】吸込みグリルの横断面図。
【図３】吸込みグリル６を上下を逆さにした状態即ち意匠面を表のままで１８０度回転させた場合の縦断面図。
【図４】調和機を正面右斜めから見た場合の吸込みグリルの見え方を示した図。
【図５】吸込みグリル６を上下を逆さにした状態即ち意匠面を表のままで１８０度回転させた場合に空気調和機を正面右斜めから見た場合の吸込みグリルの見え方を示した図。
【図６】縦横比を１対１にした吸込みグリル１１を示した図。
【図７】縦横比を１対１にした吸込みグリル１１を９０度回転させた場合を示した図。
【符号の説明】
【００１９】
１…ケース、２…ファン、３…熱交換器、４…キャビネット、５…化粧カバー、６…吸込みグリル、７…フィルター、８ａ…下側ヒンジ部、８ｂ…上側ヒンジ部、９…ヒンジ受け、１０…格子、１１…縦横比を１対１にした縦格子の吸込みグリル、１２…縦横比を１対１にした横格子の吸込みグリル。
【図１】
2005106417.tif 000003
【図２】
2005106417.tif 000004
【図３】
2005106417.tif 000005
【図４】
2005106417.tif 000006
【図５】
2005106417.tif 000007
【図６】
2005106417.tif 000008
【図７】
2005106417.tif 000009